(57)【要約】【課題】可撓性の信号線により接続された電子部品の動作を安定させることができる電子機器を提供する。【解決手段】携帯電話機１は、第２筐体５と、第２筐体５内に設けられたＦＰＣ４１と、ＦＰＣ４１に設けられたドライバ４３と、ＦＰＣ４１に隣接して設けられたスピーカ４７と、スピーカ４７に入力される電気信号を伝送する、スピーカ４７から延びる可撓性の信号線５１Ｎとを有し、第２筐体５の内側面には、スピーカ４７を収容する第１収容凹部５５の壁面を構成する境界リブ６３が形成され、境界リブ６３には、境界リブ６３と一体的に形成され、信号線５１Ｎを係止可能な係止部６５が設けられている。【選択図】図４
2008300513.tif 000002
【特許請求の範囲】
【請求項１】
筐体と、
前記筐体内に設けられた回路基板と、
前記回路基板に設けられた第１の電子部品と、
前記回路基板に隣接して設けられた第２の電子部品と、
前記第２の電子部品に入力される電気信号及び前記第２の電子部品から出力される電気信号の少なくとも一方を伝送する、前記第２の電子部品から延びる可撓性の信号線と、
を有し、
前記筐体の内側面には、前記第２の電子部品を収容する収容凹部の壁面を構成するリブが形成され、
前記リブには、前記リブと一体的に形成され、前記信号線を係止可能な係止部が設けられている
電子機器。
【請求項２】
前記リブに対して前記第２の電子部品とは反対側に配置された第３の電子部品を有し、
前記係止部と、前記第３の電子部品とは、互いに係合可能に構成されている
請求項１に記載の電子機器。
【請求項３】
前記第３の電子部品は表示パネルであり、
前記回路基板は、前記表示パネルと接続されたフレキシブル基板であり、
前記第１の電子部品は、前記表示パネルの駆動電圧を生成する昇圧回路を有し、
前記フレキシブル基板は、前記係止部に当接されている
請求項２に記載の電子機器。
【請求項４】
前記係止部は、前記リブの前記第３の電子部品側の壁面から前記第３の電子部品側に突出すると共に、前記リブの頂部側から根元側の方向に前記第３の電子部品と対向し、かつ、前記リブの頂部側から根元側の方向に弾性変形可能に構成される
請求項２又は３に記載の電子機器。
【請求項５】
前記係止部は、前記筐体の、前記リブの頂部に対向する内側面に当接している
請求項１〜４のいずれか１項に記載の電子機器。
【請求項６】
前記筐体の、前記リブの頂部に対向する内側面には、当該内側面に沿う方向において前記係止部と係合する被係合部が形成されている
請求項１〜５のいずれか１項に記載の電子機器
【請求項７】
前記第２の電子部品は、前記信号線からの電気信号を音響に変換するスピーカである
請求項１〜６のいずれか１項に記載の電子機器。
【発明の詳細な説明】
【技術分野】
【０００１】
本発明は、携帯電話機、デジタルカメラ、ＰＤＡ、ノートパソコン、ゲーム機等の電子機器に関する。
【背景技術】
【０００２】
筐体内の回路基板に実装された第１の電子部品と、回路基板に隣接して設けられた第２の電子部品とを有する電子機器が知られている（例えば特許文献１）。第１の電子部品は、例えば、種々の電子回路を構成するＩＣであり、第２の電子部品は、例えば、スピーカである。
【０００３】
第１の電子部品は、回路基板の導電層を介して、信号の入力及び／又は信号の出力がなされる。第２の電子部品は、通常、可撓性を有する信号線を介して、信号の入力及び／又は信号の出力がなされる。
【特許文献１】特開２００６−２３７９４８号公報
【発明の開示】
【発明が解決しようとする課題】
【０００４】
第２の電子部品から延びる信号線は、可撓性を有することから、第１の電子部品との相対距離が安定しない。従って、信号線が第１の電子部品に近接した場合、第１の電子部品から放射されるノイズが信号線に侵入し、第２の電子部品に係る電子機器の動作に悪影響を及ぼすおそれがある。例えば、第２の電子部品が、信号線から電気信号が入力されるものである場合には、第２の電子部品自体の動作が不安定になる。また、第２の電子部品が、信号線に電気信号を出力するものである場合には、当該電気信号が入力される他の電子部品から見て、見かけ上、第２の電子部品の動作が不安定になる。
【０００５】
本発明の目的は、可撓性の信号線により接続された電子部品に係る動作を安定させることができる電子機器を提供することにある。
【課題を解決するための手段】
【０００６】
本発明の電子機器は、筐体と、前記筐体内に設けられた回路基板と、前記回路基板に設けられた第１の電子部品と、前記回路基板に隣接して設けられた第２の電子部品と、前記第２の電子部品に入力される電気信号及び前記第２の電子部品から出力される電気信号の少なくとも一方を伝送する、前記第２の電子部品から延びる可撓性の信号線と、を有し、前記筐体の内側面には、前記第２の電子部品を収容する収容凹部の壁面を構成するリブが形成され、前記リブには、前記リブと一体的に形成され、前記信号線を係止可能な係止部が設けられている。
【０００７】
好適には、前記リブに対して前記第２の電子部品とは反対側に配置された第３の電子部品を有し、前記係止部と、前記第３の電子部品とは、互いに係合可能に構成されている。
【０００８】
好適には、前記第３の電子部品は表示パネルであり、前記回路基板は、前記表示パネルと接続されたフレキシブル基板であり、前記第１の電子部品は、前記表示パネルの駆動電圧を生成する昇圧回路を有し、前記フレキシブル基板は、前記係止部に当接されている。
【０００９】
好適には、前記係止部は、前記リブの前記第３の電子部品側の壁面から前記第３の電子部品側に突出すると共に、前記リブの頂部側から根元側の方向に前記第３の電子部品と対向し、かつ、前記リブの頂部側から根元側の方向に弾性変形可能に構成される。
【００１０】
好適には、前記係止部は、前記筐体の、前記リブの頂部に対向する内側面に当接している。
【００１１】
好適には、前記筐体の、前記リブの頂部に対向する内側面には、当該内側面に沿う方向において前記係止部と係合する被係合部が形成されている。
【００１２】
好適には、前記第２の電子部品は、前記信号線からの電気信号を音響に変換するスピーカである。
【発明の効果】
【００１３】
本発明によれば、可撓性の信号線により接続された電子部品の動作を安定させることができる。
【発明を実施するための最良の形態】
【００１４】
図１（ａ）は、本発明の実施形態に係る電子機器としての携帯電話機１の外観を示す斜視図である。図１（ｂ）は、図１（ａ）とは反対側から携帯電話機１を見た斜視図である。
【００１５】
携帯電話機１は、いわゆる２軸ヒンジを有する携帯電話機として構成されている。例えば、携帯電話機１は、第１筐体３と、第２筐体５と、第１筐体３と第１回転軸ＲＡ回りに回転可能に連結されるとともに、第２筐体５と第２回転軸ＲＡ２回りに回転可能に連結される連結筐体７とを有している。第１筐体３、第２筐体５及び連結筐体７は、携帯電話機１全体の筐体を構成している。第１回転軸ＲＡ１及び第２回転軸ＲＡ２は、互いに直交する方向に延びている。
【００１６】
なお、以下では、第１筐体３及び第２筐体５が互いに重ね合わされた状態を閉状態、閉状態から第１筐体３及び第２筐体５が第１回転軸ＲＡ１回りに相対回転して互いに離間した状態（図１の状態）を開状態という。また、第１筐体３及び第２筐体５の、第２回転軸ＲＡ２回りの相対位置が図１に示す位置であるときの状態を表状態、表状態から第１筐体３及び第２筐体５が第２回転軸ＲＡ２回りに１８０°相対回転した状態を裏状態という。
【００１７】
携帯電話機１は、第１筐体３及び第２筐体５の、第１回転軸ＲＡ１及び第２回転軸ＲＡ２回りの相対回転により、開状態且つ表状態、開状態且つ裏状態、閉状態且つ表状態、閉状態且つ裏状態の４状態の間で、適宜に変形可能である。
【００１８】
第１筐体３には、例えば、通話用のマイクロフォン９５（図７参照）の収音孔９（図１（ａ））、ユーザの操作を受け付けるメイン操作部１１（図１（ａ））、撮像を行う撮像部１３（図１（ｂ））が設けられている。
【００１９】
第２筐体５には、例えば、通話用のスピーカ４７（図４参照）の放音孔１５（図１（ａ））、図形や文字等を含む画像を表示するメイン表示部１７（図１（ａ））及びサブ表示部１９（図１（ｂ））が設けられている。
【００２０】
放音孔１５は、第２筐体５のうち、閉状態且つ表状態において第１筐体３に対向する第１面部５ａ（図１（ａ））に開口している。メイン表示部１７は、第１面部５ａにおいて画像を表示する。放音孔１５は、連結筐体７とは反対側の端部５ｄ側に配置され、メイン表示部１７は、放音孔１５よりも連結筐体７側に配置されている。サブ表示部１９は、第２筐体５のうち、第１面部５ａの背面側の第２面部５ｂ（図１（ｂ））に画像を表示する。
【００２１】
連結筐体７には、例えば、着信等を報知するためのスピーカ９９（図７参照）の放音孔２１（図１（ａ））、ユーザの操作を受け付けるサブ操作部２３（図１（ｂ））が設けられている。
【００２２】
図２は、第２筐体５の分解斜視図である。図２の紙面上方側は、第１面部５ａ側（図１（ａ）の紙面手前側）であり、図２の紙面右側は、連結筐体７側（図１の紙面下方側）である。図２では、スピーカ４７（図４参照）等の一部の部品や部材の図示が適宜に省略されている。
【００２３】
第２筐体５においては、第１面部５ａ側（図２の紙面上方側）から、パネル部材２５、フロントケース２７、メイン表示装置２９、シールド部材３１、プリント基板３３、サブ表示装置３５、リアケース３７が積層されている。
【００２４】
第２筐体５は、パネル部材２５、フロントケース２７及びリアケース３７を含んで構成されている。メイン表示装置２９、シールド部材３１、プリント基板３３、サブ表示装置３５及びシールド部材３１は、フロントケース２７とリアケース３７とが互いに固定されることにより、フロントケース２７とリアケース３７とに挟持される。
【００２５】
パネル部材２５は、例えば、接着剤や両面テープ等の適宜な固定部材によりフロントケース２７に固定された第１面部５ａを構成する部材である。また、パネル部材２５は、例えば、概ね平板状に形成されていると共に、メイン表示部１７の窓部を構成する透光領域を有して構成されている。なお、パネル部材２５は、例えば、樹脂により形成されている。
【００２６】
フロントケース２７は、第１面部５ａの外周部、及び、第２筐体５の外周面部５ｃ（図１）のうち第１面部５ａ側の部分を構成する部材である。フロントケース２７には、メイン表示装置２９を露出させるための開口が形成されており、概ね枠状に形成されている。また、フロントケース２７は、例えば、樹脂により一体成形されている。
【００２７】
リアケース３７は、第２面部５ｂ、及び、外周面部５ｃのうち第２面部５ｂ側の部分を構成する部材である。リアケース３７には、サブ表示装置３５を露出させるための開口が形成されている。当該開口には、透明部材３８が接着剤や両面テープ等の適宜な固定部材により固定されている。リアケース３７は、例えば、樹脂により一体成形されている。
【００２８】
フロントケース２７とリアケース３７とは、例えば、一方に挿通された不図示のネジが他方に螺合されることにより固定される。なお、図２では、ネジが挿通される孔部２７ｓがフロントケース２７に、ネジが螺合されるネジボス３７ｓがリアケース３７に形成されている場合を例示している。
【００２９】
なお、上述の通話用の放音孔１５は、パネル部材２５に形成された開口２５ｈ及びフロントケース２７に形成された開口２７ｈにより構成されている。
【００３０】
メイン表示装置２９は、メイン表示部１７を構成している。メイン表示装置２９は、例えば、液晶表示ディスプレイや有機ＥＬディスプレイにより構成されている。メイン表示装置２９は、例えば、いわゆるＴＡＢ方式の表示装置により構成されており、表示パネル３９と、表示パネル３９から延出するＦＰＣ（フレキシブルプリント配線板）４１とを有している。
【００３１】
表示パネル３９は、例えば、メイン表示装置２９が液晶ディスプレイにより構成されている場合、特に図示しないが、互いに対向する２枚のガラス基板と、２枚のガラス基板間に封入された液晶と、２枚のガラス基板間に積層されたカラーフィルタ、共通電極及び表示電極と、２枚のガラス基板の外側に積層された偏光板等を有している。表示パネル３９は、例えば、第２筐体５の広さの半分以上の面積を有する矩形に形成されている。表示パネル３９は、フロントケース２７側に画像を表示する表示面３９ａを有している。
【００３２】
ＦＰＣ４１は、表示パネル３９の連結筐体７とは反対側（図２の紙面左側）の端部３９ｄから延出している。なお、図２では、ＦＰＣ４１が表示パネル３９の背面部３９ｂ側（図２の紙面下方側）に折り曲げられている状態を図示している。ＦＰＣ４１には、表示パネル３９に電圧を印加するドライバ４３（図４参照）や、ＦＰＣ４１とプリント基板３３とを接続する不図示のコネクタ等が設けられている。
【００３３】
ドライバ４３は、例えば、１又は複数のＩＣ（ＬＳＩ等）により構成されている。ドライバ４３は、例えば、いわゆる内部昇圧方式のドライバにより構成されており、昇圧回路４３ａ（図７参照）を有している。昇圧回路４３ａは、プリント基板３３等を介して供給された不図示のバッテリからの電力を昇圧する。ドライバ４３は、昇圧回路４３ａにより昇圧された電力を、表示パネル３９の不図示の複数のソースライン及び複数のゲートラインに対して選択的に供給する。
【００３４】
シールド部材３１は、メイン表示装置２９やプリント基板３３をシールドする部材である。シールド部材３１は、例えば、概ね矩形状の平板状に形成されている。シールド部材３１のメイン表示装置２９側の面には、メイン表示装置２９が嵌合する凹部が形成されている。シールド部材３１のプリント基板３３側の面には、プリント基板３３が嵌合する凹部が形成されている。シールド部材３１は、例えば、金属により形成されている。
【００３５】
プリント基板３３は、例えば、硬質の樹脂をベースとしたリジッド基板により構成されている。プリント基板３３には、ＩＣ３４（図４参照）等の電子部品が実装され、種々の電子回路が構成されている。電子回路は、例えば、メイン表示装置２９やサブ表示装置３５に画像信号を出力する画像処理部を構成している。
【００３６】
サブ表示装置３５は、サブ表示部１９を構成している。サブ表示装置３５は、例えば、液晶表示ディスプレイや有機ＥＬディスプレイにより構成されている。サブ表示装置３５は、いわゆるＴＡＢ方式の表示装置により構成されている。
【００３７】
図３は、メイン表示装置２９、シールド部材３１、プリント基板３３及びサブ表示装置３５を積層して構成される内部アセンブリ４５の斜視図である。
【００３８】
なお、メイン表示装置２９、シールド部材３１、プリント基板３３及びサブ表示装置３５は、フロントケース２７とリアケース３７とが固定される前に、両面テープ等の適宜な固定部材により互いに固定されていてもよいし、固定されていなくてもよい。
【００３９】
メイン表示装置２９の表示パネル３９は、シールド部材３１の凹部に嵌合されている。ＦＰＣ４１は、折り返されることにより、シールド部材３１のプリント基板３３側の面（プリント基板３３が嵌合する凹部の底部）に積層されている。そして、シールド部材３１のプリント基板３３側に折り返された部分に設けられた不図示のコネクタを介してプリント基板３３と接続されている。なお、シールド部材３１の、メイン表示装置２９が嵌合される凹部やプリント基板３３が嵌合される凹部は、ＦＰＣ４１を配置可能に、ＦＰＣ４１側の外周壁部が切り欠かれている。
【００４０】
図４は、通話用のスピーカ４７周辺の構成を説明する図であり、図４（ａ）は、スピーカ４７をフロントケース２７（第２筐体５）に取り付ける前の図、図４（ｂ）は、スピーカ４７をフロントケース２７に取り付けた後の図である。
【００４１】
第２筐体５内には、スピーカ４７と、スピーカ４７に電気信号を入力するための信号線５１Ｐ、５１Ｎ（以下、Ｐ、Ｎを省略することがある。）とからなる信号線５１と、信号線５１とプリント基板３３とを接続するためのコネクタ５３とが設けられている。
【００４２】
スピーカ４７は、スピーカ４７の外形を構成するスピーカ筐体４９を有している。スピーカ筐体４９は、例えば、概ね直方体状に形成されており、図４の紙面下方側の面に、音響を出力するための放音面４９ａ（図４（ａ））が形成されている。
【００４３】
スピーカ４７は、例えば、ダイナミックスピーカにより構成されている。すなわち、スピーカ筐体４９の内部には、特に図示しないが、電磁石と、永久磁石と、電磁石及び永久磁石の一方に固定され、放音面４９ａに対向する振動板とが設けられている。電磁石に電気信号が入力されることにより、電気信号の電圧（信号線５１Ｐ、５１Ｎの電位差）に応じた振動が電磁石と永久磁石との間に生じる。そして、当該振動は、振動板により音響に変換される。
【００４４】
信号線５１は、可撓性を有する信号線である。例えば、信号線５１は、銅等の導電性の線材が樹脂等の絶縁性部材により被覆されて形成されている。信号線５１は、スピーカ筐体４９から延びている。具体的には、信号線５１は、スピーカ筐体４９の長手方向の両側において、放音面４９ａとは反対側から延びている。信号線５１は、スピーカ筐体４９内部の電磁石に電気的に接続されている。なお、信号線５１は、スピーカ筐体４９内部から延出していてもよいし、スピーカ筐体４９から突出する端子に接続されていてもよい。
【００４５】
コネクタ５３は、信号線５１を保持する筐体と、当該筐体に保持され、信号線５１と接続された不図示の端子とを有している。コネクタ５３は、プリント基板３３に設けられた不図示のコネクタに対して嵌合し、信号線５１とプリント基板３３とを電気的に接続する。信号線５１には、プリント基板３３から電気信号が入力される。なお、コネクタ５３が省略され、信号線５１が直接的にプリント基板３３に半田付けされてもよい。
【００４６】
スピーカ４７は、プリント基板３３やＦＰＣ４１に対して隣接して配置されている。換言すれば、スピーカ４７は、プリント基板３３やＦＰＣ４１に設けられた電子部品に対して近接して配置されている。具体的には、以下のとおりである。
【００４７】
フロントケース２７の筐体内部側には、スピーカ４７が収容される第１収容凹部５５が形成されている。第１収容凹部５５は、フロントケース２７の、連結筐体７とは反対側の端部に形成されている。第１収容凹部５５は、スピーカ４７が嵌合する形状、すなわち、本実施形態では矩形に形成されている。第１収容凹部５５の壁面は、フロントケース２７の内側面（リアケース３７に対向する面）から筐体内部側に突出する第１リブ５７により構成されている。第１リブ５７はフロントケース２７に対して一体成形されている。
【００４８】
スピーカ４７は、放音面４９ａをフロントケース２７側に向けて第１収容凹部５５に嵌合され、フロントケース２７とリアケース３７とが互いに固定されることにより、フロントケース２７とリアケース３７とに挟持される。なお、スピーカ４７とフロントケース２７との間や、スピーカ４７とリアケース３７との間には、スポンジやゴム等の弾性部材が介在していてもよい。
【００４９】
フロントケース２７の筐体内部側には、内部アセンブリ４５が嵌合する第２収容凹部５９が形成されている。第２収容凹部５９の壁面は、フロントケース２７の外周面、及び、フロントケース２７の内側面（リアケース３７に対向する面）から筐体内部側に突出する第２リブ６１により構成されている。
【００５０】
プリント基板３３やＦＰＣ４１等を含む内部アセンブリ４５は、表示パネル３９の表示面３９ａをフロントケース２７側に向けて第２収容凹部５９に嵌合され、フロントケース２７とリアケース３７とが互いに固定されることにより、フロントケース２７とリアケース３７とに挟持される。なお、内部アセンブリ４５の表示パネル３９とフロントケース２７との間や、内部アセンブリ４５のプリント基板３３とリアケース３７との間には、スポンジやゴム等の弾性部材が介在していてもよい。
【００５１】
第１収容凹部５５と第２収容凹部５９とは隣接して配置されている。第１収容凹部５５と第２収容凹部５９との間の境界リブ６３は、第１収容凹部５５を構成する第１リブ５７と、第２収容凹部５９を構成する第２リブ６１とに兼用されている。
【００５２】
上述のように、ＦＰＣ４１は、表示パネル３９のスピーカ４７側の端部から延出し、シールド部材３１のフロントケース２７側（図４の紙面上方側）に巻き回されている。従って、ＦＰＣ４１は、スピーカ４７の連結筐体７側に境界リブ６３を挟んで隣接している。換言すれば、ＦＰＣ４１に実装されたドライバ４３等の電子部品は、スピーカ４７に近接している。
【００５３】
図２に示すように、プリント基板３３は、本体部３３ａと、本体部３３ａから連結筐体７とは反対側（図２の紙面左側）へ延出する延出部３３ｂとを有している。図４に示すように、本体部３３ａとスピーカ４７とは間隔をおいて配置されており、本体部３３ａとスピーカ４７との間にはＦＰＣ４１及びＦＰＣ４１に実装されたドライバ４３等の電子部品が配置されている。一方、延出部３３ｂは、スピーカ４７の側方（連結筐体７からスピーカ４７への方向に対して側方）まで延出している。すなわち、延出部３３ｂは、スピーカ４７に隣接している。そして、延出部３３ｂには各種の電子部品が配置されており、これらの電子部品はスピーカ４７に近接している。
【００５４】
信号線５１は、スピーカ４７とＦＰＣ４１との境界に沿うように延びている。具体的には以下のとおりである。
【００５５】
境界リブ６３の両端には、切り欠き部６４Ｐ、６４Ｎ（以下、Ｐ、Ｎを省略することがある。）が形成されている。すなわち、第１収容凹部５５と第２収容凹部５９とを区画する境界リブ６３には、スピーカ４７のうち信号線５１の接続部分に対応する位置に切り欠き部６４が形成されている。図４（ｂ）に示すように、信号線５１は、境界リブ６３に形成された切り欠き部６４を介して第１収容凹部５５から第２収容凹部５９内へ延びている。
【００５６】
信号線５１Ｐは、切り欠き部６４Ｐを通過した直後にプリント基板３３の延出部３３ｂ側に屈曲し、表示パネル３９（図４ではＦＰＣ４１に隠れて不図示）のスピーカ４７側の端部（ＦＰＣ４１の折り曲げ部）に沿って延びている。信号線５１Ｎは、切り欠き部６４Ｎを通過した直後にプリント基板３３の延出部３３ｂ側に屈曲し、境界リブ６３の延びる方向に沿って延びている。そして、信号線５１Ｎは、切り欠き部６４Ｐを通過した直後の信号線５１Ｐと合流し、信号線５１Ｐと共に、表示パネル３９の端部に沿って延びている。
【００５７】
プリント基板３３の延出部３３ｂのうち、スピーカ４７の側方に位置し、ＦＰＣ４１よりも連結筐体７とは反対側に位置する接続領域部３３ｃは、コネクタ５３が接続される領域となっている。従って、信号線５１は、接続領域部３３ｃまで延びている。
【００５８】
境界リブ６３には、信号線５１Ｎを位置決めするための係止部６５が設けられている。具体的には、以下のとおりである。
【００５９】
図５（ａ）は、図４（ａ）の係止部６５付近を拡大して示す図である。図５（ｂ）は、図４（ｂ）の係止部６５付近を拡大して示す図である。
【００６０】
係止部６５は、信号線５１Ｎが圧入される溝６５ｃが形成されるように設けられている。具体的には、係止部６５は、境界リブ６３のＦＰＣ４１側（表示パネル３９側）の壁面からＦＰＣ４１側に突出する第１構成部６５ａと、第１構成部６５ａから境界リブ６３の突出方向側へ突出する第２構成部６５ｂとを有している。
【００６１】
第１構成部６５ａは、例えば、境界リブ６３の突出方向の中途（例えば、境界リブ６３の頂部寄りの位置）から、境界リブ６３に対して直交するように突出している。第２構成部６５ｂは、例えば、第１構成部６５ａの先端から、第１構成部６５ａに直交するように延びている。すなわち、係止部６５は、断面が概ねＬ字に形成されている。
【００６２】
溝６５ｃは、境界リブ６３と係止部６５との間（境界リブ６３と第２構成部６５ｂとの間）に形成されている。溝６５ｃは、境界リブ６３の延びる方向に沿って延びている。換言すれば、第１構成部６５ａ及び第２構成部６５ｂは、境界リブ６３の延びる方向に沿って長尺状に形成されている。溝６５ｃの長さは、例えば、境界リブ６３の半分程度の長さを有している。溝６５ｃは、例えば、境界リブ６３の中央、若しくは、信号線５１Ｎの延びる方向側（図５の紙面右側）寄りに位置している。
【００６３】
なお、境界リブ６３の、表示パネル３９側（図５の紙面右下側）の壁面には、切り欠き部６４Ｎと、係止部６５との間において、表示パネル３９側に突出する突出部６７が設けられている。突出部６７は、信号線５１Ｎに境界リブ６３側から当接し、信号線５１Ｎの切り欠き部６４Ｎにおける屈曲を緩やかにして信号線５１Ｎを保護しつつ、信号線５１Ｎの弛みを無くして信号線５１Ｎの配置位置を安定させている。
【００６４】
図６は、係止部６５付近における第２筐体５の断面図（図５（ｂ）のＶＩ−ＶＩ線における断面図）である。
【００６５】
係止部６５は、表示パネル３９側に突出している。具体的には、係止部６５は、境界リブ６３の表示パネル３９側の壁面のうち、表示パネル３９よりも境界リブ６３の頂部側から突出している。また、係止部６５は、表示パネル３９の表示面３９ａに直交する方向（図６の紙面上下方向、フロントケース２７及びリアケース３７により表示パネル３９を挟持する方向）において、表示パネル３９と重なる位置まで突出している。従って、係止部６５の第１構成部６５ａは、境界リブ６３の頂部側から根元側の方向へ、表示パネル３９のスピーカ４７側の端部に係合可能である。すなわち、係止部６５と表示パネル３９とは互いに係合可能に構成されている。
【００６６】
ＦＰＣ４１は、上述のように、表示パネル３９のスピーカ４７側の端部から延出するとともに、当該端部に巻き回されるように折り曲げられて、シールド部材３１のリアケース３７側の面に載置されている。一方、係止部６５は、境界リブ６３の表示パネル３９側の壁面のうち、表示パネル３９やシールド部材３１よりも境界リブ６３の頂部側から突出している。また、係止部６５は、表示パネル３９の表示面３９ａに直交する方向において、表示パネル３９と重なる位置まで突出している。従って、係止部６５の第１構成部６５ａは、境界リブ６３の頂部側から根元側の方向へ、ＦＰＣ４１に当接可能に形成されていることになる。上述の表示パネル３９と係止部６５との係合はＦＰＣ４１を介して行われる。
【００６７】
なお、係止部６５は、シールド部材３１のスピーカ４７側の縁部に形成された切り欠き部３１ｂ（図２も参照）に位置しており、表示パネル３９と係止部６５との間は、密になっていない。換言すれば、ＦＰＣ４１の厚さは、表示パネル３９と係止部６５との隙間よりも薄くなっている。ただし、当該隙間に、シールド部材３１と同等の厚さを有するスポンジやゴム等の弾性部材が配置されることにより、表示パネル３９と係止部６５との間が密に構成されてもよい。また、シールド部材３１に切り欠き部３１ｂが形成されないようにすることにより、ＦＰＣ４１とシールド部材３１とにより表示パネル３９と係止部６５との間が密に構成されてもよい。
【００６８】
境界リブ６３の頂部と、係止部６５（第２構成部６５ｂ）の頂部とは、概ね同等の高さに位置しており、それぞれリアケース３７に当接可能である。なお、図６では、係止部６５の頂部が境界リブ６３の頂部よりも若干高い位置にあり、係止部６５のみがリアケース３７の内側面に常時当接するように構成された場合を例示している。この場合、境界リブ６３の頂部は、リアケース３７に筐体外部側から荷重が加えられてリアケース３７が撓んだときにリアケース３７の内側面に当接する。境界リブ６３の頂部及び係止部６５の頂部には、溝６５ｃ側が低くなるように（溝６５ｃ側ほど境界リブ６３の根元側に位置するように）傾斜面が形成されている。
【００６９】
リアケース３７の内側面、すなわち、境界リブ６３に対向する内側面には、信号線５１Ｎが圧入される溝６５ｃに対向する位置に、筐体内部側に突出する被係合部６９が形成されている。被係合部６９は、境界リブ６３及び係止部６５の第２構成部６５ｂに対して、内側面に沿う方向において係合可能である。
【００７０】
図７は、携帯電話機１の信号処理系の構成を示すブロック図である。
【００７１】
携帯電話機１は、ＣＰＵ８５、メモリ８６、通信処理部８７、音響処理部９１及び画像処理部９３を備えている。これら各部は例えば第１筐体３の不図示の回路基板やプリント基板３３等に設けられたＩＣ３４等により構成されている。
【００７２】
ＣＰＵ８５及びメモリ８６は、メイン操作部１１やサブ操作部２３等の各種手段からの信号に基づいて所定の演算を行い、画像処理部９３等の各種手段の制御を実行する制御部として機能する。
【００７３】
通信処理部８７は、高周波回路を含んで構成されている。通信処理部８７は、電波を利用した遠距離無線通信を行うために、ＣＰＵ８５で処理された音響データ、画像データ等の各種データを変調して、アンテナ８９を介して送信する。また、通信処理部８７は、アンテナ８９を介して受信した信号を復調してＣＰＵ８５に出力する。
【００７４】
音響処理部９１は、ＣＰＵ８５からの音響データを電気信号に変換して通話用のスピーカ４７、着信等を報知するためのスピーカ９９に出力する。スピーカ４７及びスピーカ９９は、音響処理部９１からの電気信号を音響に変換して出力する。一方、マイクロフォン９５は、入力された音響を電気信号に変換して音響処理部９１に出力する。音響処理部９１は、マイクロフォン９５からの電気信号を音響データに変換してＣＰＵ８５に出力する。
【００７５】
画像処理部９３は、ＣＰＵ８５からの画像データを画像信号に変換してメイン表示部１７及びサブ表示部１９へ出力する。また、撮像部１３から出力される撮像信号（画像データ）を所定のフォーマットの画像データに変換してＣＰＵ８５へ出力する。
【００７６】
メイン表示部１７では、ドライバ４３により、画像処理部９３からの画像信号に応じた電圧が表示パネル３９に印加される。これにより、表示パネル３９の表示面３９ａに画像が表示される。表示パネル３９に印加される電力は、ドライバ４３内の昇圧回路４３ａにより生成される。
【００７７】
以上の実施形態によれば、携帯電話機１は、第２筐体５と、第２筐体５内に設けられたプリント基板３３やＦＰＣ４１と、プリント基板３３やＦＰＣ４１に設けられたドライバ４３等の電子部品と、プリント基板３３やＦＰＣ４１に隣接して設けられたスピーカ４７と、スピーカ４７に入力される電気信号を伝送する、スピーカ４７から延びる可撓性の信号線５１Ｎとを有し、第２筐体５の内側面には、スピーカ４７を収容する第１収容凹部５５の壁面を構成する境界リブ６３が形成され、境界リブ６３には、境界リブ６３と一体的に形成され、信号線５１Ｎを係止可能な係止部６５が設けられていることから、信号線５１Ｎがドライバ４３等の電子部品に近接することが防止され、ドライバ４３等の電子部品から放射されたノイズの影響によりスピーカ４７の動作が不安定になることが抑制される。しかも、係止部６５は、境界リブ６３と一体的に形成されていることから、部材点数が増加することもなく、組立工程も簡素である。また、本実施形態では、電子機器の一例として携帯電話機を例示したが、このような無線通信を行う電子機器においては、信号線５１Ｎの位置が安定することにより、信号線５１Ｎがアンテナ特性に及ぼす影響も安定し、アンテナ特性が安定する。
【００７８】
携帯電話機１は、境界リブ６３に対してスピーカ４７とは反対側に配置された表示パネル３９を有し、係止部６５は、境界リブ６３の表示パネル３９側の壁面から表示パネル３９側に突出し、境界リブ６３の頂部側から根元側の方向へ表示パネル３９に係合可能に形成されていることから、係止部６５と表示パネル３９とは互いに係合され、係止部６５は、信号線５１Ｎの係止だけでなく、表示パネル３９の位置決めにも兼用されることになり、部材点数の削減が図られる。また、係止部６５が表示パネル３９と重なることから、筐体内の無駄なスペースを縮小するレイアウトが可能となり、携帯電話機１の小型化に有利である。さらに、表示パネル３９の動作に伴って発生する微弱な振動も、表示パネル３９が係止部６５に係止されることにより低減されるため、この振動に伴う可聴領域の耳鳴りも低減される。なお、係止部６５による表示パネル３９の係止の方法は、本実施形態に限定されず、その他の方法であってもよい、
【００７９】
なお、実施形態では、表示パネル３９と係止部６５との間が密に構成されていない場合を例示したが、このような場合であっても、係止部６５により組立工程等における表示パネル３９の脱落が防止されるし、表示パネル３９と係止部６５とが重なるような、小型化に有利なレイアウトが可能である。また、表示パネル３９と係止部６５との間が密に構成されている場合には、表示パネル３９は係止部６５により第２筐体５に対して堅固に固定されることになる。さらに、切り欠き部３１ｂが形成されていない場合には、係止部６５に係止された信号線５１Ｎと、シールド部材３１とが、シールド部材３１の対向方向において重なることになり、信号線５１Ｎは、シールド部材３１によりシールドされ、信号線５１Ｎへのノイズの混入や信号線５１Ｎがアンテナ特性に及ぼす影響が低減される。
【００８０】
ＦＰＣ４１は、表示パネル３９と接続されており、ドライバ４３は、表示パネル３９の駆動電圧を生成する昇圧回路４３ａを有し、ＦＰＣ４１は、表示パネル３９に対して境界リブ６３の頂部側に配置され、係止部６５は、境界リブ６３の頂部側から根元側の方向へＦＰＣ４１に当接可能であることから、昇圧回路４３ａや表示パネル３９に生じる微小な振動が抑制される。その結果、昇圧回路４３ａや表示パネル３９の微小振動により発生する可聴領域の音鳴りを低減することができる。なお、係止部６５によるＦＰＣ４１の係止の方法は本実施形態の方法に限定されず、その他の方法であってもよい。
【００８１】
係止部６５は、第２筐体５の、境界リブ６３の頂部に対向する内側面に当接していることから、第２筐体５の筐体外部側からの荷重に対する強度が向上する。その結果、例えば、本実施形態のように、係止部６５に対して、境界リブ６３の根元側に表示パネル３９が設けられる場合には、表示パネル３９の筐体外部側からの荷重による破損が抑制される。
【００８２】
係止部６５は、境界リブ６３の表示パネル３９側の壁面から表示パネル３９側に突出し、境界リブ６３の頂部側から根元側の方向へ表示パネル３９に係合可能な第１構成部６５ａと、第１構成部６５ａから境界リブ６３の突出方向側へ突出し、境界リブ６３との間に信号線５１が圧入される溝６５ｃを形成するとともに、第２筐体５の、境界リブ６３の頂部に対向する内側面に当接する第２構成部６５ｂと、を有することから、信号線５１Ｎの圧入により好適に信号線５１Ｎを係止できる構成を実現できる。しかも、筐体外部側から荷重が加えられたときには、係止部６５が弾性変形することにより、すなわち、第２構成部６５ｂが第１構成部６５ａに対して傾斜するように曲がり、係止部６５は、曲げに対する復元力により第２筐体５の内側面を支持することから、第２筐体５の強度を向上しつつ、表示パネル３９に係止部６５を介して荷重が加えられることが抑制される。なお、係止部６５の頂部は、溝６５ｃ側が低くなるように傾斜面が形成されていることから、第２筐体５の内側面から係止部６５の頂部に荷重が加えられると、第２構成部６５ｂは、溝６５ｃとは反対側（より撓みが許容されている側）に曲がるように促されることになる。
【００８３】
第２筐体５の、境界リブ６３の頂部と対向する内側面には、当該内側面に沿う方向において係止部６５と係合する被係合部６９が形成されていることから、第２筐体５の組立工程が容易化される。
【００８４】
ノイズの影響が抑制される電子部品は、信号線５１Ｎからの電気信号を音響に変換するスピーカ４７であることから、ノイズの侵入による音質低下が防止される。
【００８５】
なお、以上の実施形態において、携帯電話機１は本発明の電子機器の一例であり、ＦＰＣ４１やプリント基板３３は本発明の回路基板の一例であり、ＩＣ３４やドライバ４３は本発明の第１の電子部品の一例であり、スピーカ４７は本発明の第２の電子部品の一例であり、ＦＰＣ４１は本発明のフレキシブル基板の一例であり、表示パネル３９は本発明の第３の電子部品の一例である。
【００８６】
本発明は、以上の実施形態に限定されず、種々の態様で実施されてよい。
【００８７】
電子機器は、携帯電話機のような携帯端末装置に限定されない。据え置き型の大型の電子機器であってもよい。また、電子機器としての携帯端末装置は携帯電話機に限定されない。例えば、携帯端末装置は、デジタルカメラ、ＰＤＡ、ノートパソコン、ゲーム機であってもよい。
【００８８】
筐体は、２軸ヒンジを有する電子機器の一の筐体に限定されない。例えば、筐体は、一の筐体のみを有する電子機器の筐体であってもよいし、２つの筐体のみを有する電子機器の一の筐体であってもよいし、実施形態の第１筐体又は連結筐体であってもよい。
【００８９】
第１の電子部品、第２の電子部品、及び、第３の電子部品は、それぞれ、ＩＣ、スピーカ、表示パネルに限定されない。第１〜第３の電子部品は、ＩＣ、スピーカ、マイクロフォン、表示パネル、アンテナ等の適宜な電子部品のいずれであってもよい。なお、第２の電子部品がマイクロフォンやスピーカのような電気音響変換部品である場合には、信号線に侵入するノイズの低減により、音質が向上する。
【００９０】
信号線は、第２の電子部品としてのスピーカに接続されたもののように、第２の電子部品に入力される電気信号が伝送されるものに限定されない。第２の電子部品としてのマイクロフォンに接続された信号線のように、第２の電子部品から出力される電気信号が伝送されるものであってもよいし、第２の電子部品としてのＩＣに接続された信号線のように、第２の電子部品に入力される電気信号及び第２の電子部品から出力される電気信号の双方を伝送するものであってもよい。
【００９１】
係止部は、信号線が圧入される溝が形成されたものに限定されない。例えば、係止部は、信号線に係合する鉤状のものであってもよい。
【図面の簡単な説明】
【００９２】
【図１】本発明の実施形態の携帯電話機の外観を示す斜視図。
【図２】図１の携帯電話機の分解斜視図。
【図３】図１の携帯電話機の内部アセンブリを示す斜視図。
【図４】図１の携帯電話機のスピーカの取付方法を説明する図。
【図５】図４の一部拡大図。
【図６】図５のＶＩ−ＶＩ線における断面図。
【図７】図１の携帯電話機の信号処理系の構成を示すブロック図。
【符号の説明】
【００９３】
１…携帯電話機（電子機器）、５…第２筐体、３３…プリント基板（回路基板）、３４…ＩＣ（第１の電子部品）、４１…ＦＰＣ（回路基板）、４３…ドライバ（第１の電子部品）、４７…スピーカ（第２の電子部品）、５１…信号線、５５…第１収容凹部、６３…境界リブ、６５…係止部。
【図１】
2008300513.tif 000003
【図２】
2008300513.tif 000004
【図３】
2008300513.tif 000005
【図４】
2008300513.tif 000006
【図５】
2008300513.tif 000007
【図６】
2008300513.tif 000008
【図７】
2008300513.tif 000009